(57)【要約】【課題】  本を読む場合であってもその本を手で持つ必要のない浴槽蓋を提供する。【解決手段】  浴槽１１の上に被せる蓋本体１２と、この蓋本体１２の一端に設けられ且つ折り畳んでその蓋本体１２の上に重ねられるようになっている折畳み蓋１３とを備え、この折畳み蓋１３を折り畳むことにより蓋本体１２を浴槽の上に被せた状態で入浴が可能となる浴槽蓋１０であって、折畳み蓋１３の裏面に本立１５てを設け、折畳み蓋１３を折り畳むことにより本立て１５が蓋本体１２の上に出るようにした。【選択図】  図３
2006075283.tif 000002
【特許請求の範囲】
【請求項１】
浴槽の上に被せる蓋本体と、この蓋本体の一端に設けられ且つ折り畳んでその蓋本体の
上に重ねられるようになっている折畳み蓋とを備え、この折畳み蓋を折り畳むことにより
蓋本体を浴槽の上に被せた状態で入浴が可能となる浴槽蓋であって、
前記折畳み蓋の裏面に本立てを設け、折畳み蓋を折り畳むことにより前記本立てが蓋本
体の上に出ることを特徴とする浴槽蓋。
【請求項２】
前記蓋本体の裏面にシャワーフックを設けたことを特徴とする請求項１に記載の浴槽蓋
。
【請求項３】
前記シャワーフックは蓋本体の一端側と他端側のうち少なくともどちらか一方に設けら
れていることを特徴とする請求項２に記載の浴槽蓋。
【請求項４】
前記シャワーフックに装着されたシャワーヘッドと、浴槽の温水を汲み上げて前記シャ
ワーヘッドに送り込むポンプとを備えていることを特徴とする請求項２に記載の浴槽蓋。
【発明の詳細な説明】
【技術分野】
【０００１】
この発明は、浴槽の上に被せる蓋本体と、この蓋本体の一端に設けられ且つ折り畳んで
その蓋本体の上に重ねられるようになっている折畳み蓋とを備えた浴槽蓋に関する。
【背景技術】
【０００２】
従来から、家庭用浴槽を利用して半身浴が効率よく行えるようにした浴槽蓋が知られて
いる（特許文献１参照）。
【０００３】
かかる浴槽蓋は、手を出すための手用穴や首を出すための首用穴等が設けられている。
そして、入浴者は首用穴から首を出すとともに手用穴から手を出すことによって、本など
が読めるようになっている。
【特許文献１】特開２００２−１９９９９６号公報
【発明の開示】
【発明が解決しようとする課題】
【０００４】
しかしながら、このような浴槽蓋にあっては、浴槽蓋の手用穴から手を出してその手で
本を持たなければならず、このため、長時間入浴する半身浴では手が疲れたしまうという
問題があった。
【０００５】
この発明の目的は、本を読む場合であってもその本を手で持つ必要のない浴槽蓋を提供
することにある。
【課題を解決するための手段】
【０００６】
請求項１の発明は、浴槽の上に被せる蓋本体と、この蓋本体の一端に設けられ且つ折り
畳んでその蓋本体の上に重ねられるようになっている折畳み蓋とを備え、この折畳み蓋を
折り畳むことにより蓋本体を浴槽の上に被せた状態で入浴が可能となる浴槽蓋であって、
前記折畳み蓋の裏面に本立てを設け、折畳み蓋を折り畳むことにより前記本立てが蓋本
体の上に出ることを特徴とする。
【０００７】
請求項２の発明によれば、前記蓋本体の裏面にシャワーフックを設けたことを特徴とす
る。
【０００８】
請求項３の発明によれば、前記シャワーフックは蓋本体の一端側と他端側のうち少なく
ともどちらか一方に設けられていることを特徴とする。
【０００９】
請求項４の発明によれば、前記シャワーフックに装着されたシャワーヘッドと、浴槽の
温水を汲み上げて前記シャワーヘッドに送り込むポンプとを備えていることを特徴とする
。
【発明の効果】
【００１０】
請求項１の発明によれば、折畳み蓋を折り畳むことにより本立てが蓋本体の上に出るも
のであるから、本を読むときその本を手で持つ必要がない。このため、長時間入浴する半
身浴の場合であっても手が疲れてしまうということがない。
【００１１】
請求項２および請求項３の発明によれば、蓋本体の裏面にシャワーフックを設けたもの
であるから、半身浴の際にもシャワー給湯が可能となり、ミストサウナ効果を得ることが
できる。
【００１２】
請求項４の発明によれば、シャワーを出し続けても浴槽の湯量が増えてしまうことがな
い。
【発明を実施するための最良の形態】
【００１３】
以下、この発明に係る浴槽蓋の実施例を図面に基づいて説明する。
【実施例】
【００１４】
［第１実施例］
図１および図２に示す浴槽蓋１０は、浴槽１１の開口１１Ａの上を被せるとともに所定
幅毎に折り畳み可能な蓋本体１２と、この蓋本体１２の一端にその蓋本体１２の上に重な
るように折り畳み可能に設けた折畳み蓋１３とを備えている。１４は折畳み蓋１３に設け
た凹状の把手部である。
【００１５】
折畳み蓋１３の裏面には、右方向（図２において）に向かってへ斜め下方に突出した本
立て１５が設けられている。そして、図３および図４に示すように、折畳み蓋１３を折り
畳んで蓋本体１２の上に重ねると、本立て１５が蓋本体１２の上に出る。この本立て１５
は左方向（図３において）に向かって斜め上方に突出するようになっている。そして、こ
の本立て１５に本（図示せず）を立てかけることができる。
【００１６】
本立て１５の下部（図３において）にはスプリングバンド１６が取り付けられており、
このスプリングバンド１６により本が本立て１５に固定されるようになっている。スプリ
ングバンド１６は本立て１５の下部に設けられていることにより、本を読む際に邪魔にな
ることはない。
【００１７】
このように、本立て１５に本を立てかけることができるので、半身浴の際に本を手で持
つ必要がなく、このため長時間の入浴でも手が疲れてしまうことがない。
［第２実施例］
図５および図６は第２実施例の浴槽蓋２０を示したものである。この浴槽蓋２０は、蓋
本体１２にシャワーヘッド３０を挿入する穴２１を設け、この穴２１に隣接して蓋本体１
２の裏面１２Ｂにシャワーフック２２を設けたものである。
【００１８】
シャワーフック２２は、図７に示すように、ベース部材２３に回動可能に取り付けられ
るとともに相対向し且つ湾曲した一対のフック片２４,２４を有しており、このフック片
２４,２４は図示しないスプリングにより互いに閉じる方向に付勢されている。そして、
シャワーヘッド３０の口金３１を矢印方向に挿入していくと、フック片２４,２４はスプ
リングの付勢力に抗して拡開し、その口金３１がフック片２４,２４間に挿入されてフッ
ク片２４,２４に挟持されるようになっている。この挟持によりシャワーヘッド３０はシ
ャワーフック２２に取り付けられることになる。
【００１９】
そして、図６に示すように、シャワーヘッド３０をシャワーフック２２に取り付けるこ
とにより、シャワー給湯を行うことができ、ミストサウナ効果を高めることができる。
【００２０】
この第２実施例では、シャワーが左壁に取り付けられている場合、図６に示すようにシ
ャワーヘッド３０をシャワーフック２２に取り付けることができるが、シャワーが右壁に
取り付けられていると、図６に示すようにシャワーヘッド３０をシャワーフック２２に取
り付けることができない。
【００２１】
図８は、シャワーが右壁に取り付けられている場合に、シャワーヘッド３０をシャワー
フック２２に取り付けることができるようにした浴槽蓋４０を示したものである。
【００２２】
浴槽蓋４０は、図８に示すように、蓋本体１２の裏面１２Ｂの右端部にアーム４１を設
け、このアーム４１にシャワーフック２２を取り付けたものである。このようにすること
により、シャワーヘッド３０をシャワーフック２２に取り付けることができる。
【００２３】
シャワーが左右どちらの壁に取り付けられていてもシャワーヘッド３０がシャワーフッ
ク２２に取り付けられるように、シャワーフック２２,２２を蓋本体１２の左右に設けて
もよい。
［第３実施例］
図９は第３実施例の浴槽蓋５０を示したものである。この浴槽蓋５０は、蓋本体１２に
ポンプ５１を設け、このポンプ５１によって浴槽１１の湯を汲み上げてシャワーヘッド３
０へ送り込むようにしたものである。５２はホースＨ１を通すために蓋本体１２に設けた
穴５２である。Ｈ２はシャワーヘッド３０とポンプ５１とを連通したホースである。
【００２４】
この第３実施例の浴槽蓋５０によれば、シャワーヘッド３０から給湯しても、すなわち
シャワーを出し続けても浴槽１１の湯量が増えてしまうことがない。
【図面の簡単な説明】
【００２５】
【図１】この発明に係る浴槽蓋を示した平面図である。
【図２】図１に示す浴槽蓋を浴槽の上に被せた状態を示した縦断面図である。
【図３】図１に示す浴槽蓋の使用方法を示した縦断面図である。
【図４】図１に示す浴槽蓋の使用方法を示した平面図である。
【図５】第２実施例の浴槽蓋を使用した状態を示した平面図である。
【図６】図５に示す浴槽蓋を示した縦断面図である。
【図７】フックの構成を示した斜視図である。
【図８】第２実施例の他の例を示した説明図である。
【図９】第３実施例の浴槽蓋を示した説明図である。
【符号の説明】
【００２６】
１０                浴槽蓋
１１                浴槽
１２                蓋本体
１３                折畳み蓋
１５                本立て
【図１】
2006075283.tif 000003
【図２】
2006075283.tif 000004
【図３】
2006075283.tif 000005
【図４】
2006075283.tif 000006
【図５】
2006075283.tif 000007
【図６】
2006075283.tif 000008
【図７】
2006075283.tif 000009
【図８】
2006075283.tif 000010
【図９】
2006075283.tif 000011